(57)【要約】【課題】  原稿画像の主走査長や副走査幅が不定形サイズ寸法の場合であっても画像欠けのない適切なコピーが自動用紙選択機能によって取り出せる画像形成装置を提供する。【解決手段】  原稿のサイズにより最適な転写紙幅のロール紙を選択してコピーを行う自動用紙選択機能を備えた画像形成装置であって、前記原稿の主走査幅と副走査幅を検知する手段と、前記原稿の主走査幅が定形サイズ寸法で副走査幅が不定形サイズ寸法の原稿画像に対して、前記原稿の主走査幅に合致するサイズのロール紙にて自動用紙選択コピーを行い、前記原稿画像の副走査幅に合わせて前記ロール紙をカットする手段と、を具備した構成となっている。【選択図】  図２
2006064789.tif 000002
【特許請求の範囲】
【請求項１】
原稿のサイズにより最適な転写紙幅のロール紙を選択してコピーを行う自動用紙選択機能を備えた画像形成装置であって、
前記原稿の主走査幅と副走査幅を検知する手段と、
前記原稿の主走査幅が定形サイズ寸法で副走査幅が不定形サイズ寸法の原稿画像に対して、前記原稿の主走査幅に合致するサイズのロール紙にて自動用紙選択コピーを行い、前記原稿画像の副走査幅に合わせて前記ロール紙をカットする手段と、を具備したことを特徴とする画像形成装置。
【請求項２】
原稿のサイズにより最適な転写紙幅のロール紙を選択してコピーを行う自動用紙選択機能を備えた画像形成装置であって、
前記原稿の主走査幅と副走査幅を検知する手段と、
前記原稿の主走査幅が不定形サイズ寸法で副走査幅が定形サイズ寸法の原稿画像に対して、前記原稿の副走査幅に合致するサイズのロール紙にて原稿画像を９０°又は２７０°回転させて自動用紙選択コピーを行い、前記回転した原稿画像の副走査幅に合わせて前記ロール紙をカットする手段と、を具備したことを特徴とする画像形成装置。
【請求項３】
原稿のサイズにより最適な転写紙幅のロール紙を選択してコピーを行う自動用紙選択機能を備えた画像形成装置であって、
前記原稿の主走査幅と副走査幅を検知する手段と、
前記原稿の主走査幅が不定形サイズ寸法で副走査幅が定形サイズ寸法の原稿画像に対して、前記原稿の主走査幅以上で且つ最も小さい定形サイズの主走査幅に合致するロール紙にて自動用紙選択コピーを行い、前記ロール紙を定形サイズでカットする手段と、を具備したことを特徴とする画像形成装置。
【請求項４】
原稿のサイズにより最適な転写紙幅のロール紙を選択してコピーを行う自動用紙選択機能を備えた画像形成装置であって、
前記原稿の主走査幅と副走査幅を検知する手段と、
前記原稿の主走査幅と副走査幅が共に不定形サイズ寸法の原稿画像に対して、前記原稿の主走査幅以上で且つ最も小さい定形サイズの主走査幅に合致するロール紙にて自動用紙選択コピーを行い、前記原稿の副走査幅に合わせて前記ロール紙をカットする手段と、を具備したことを特徴とする画像形成装置。
【請求項５】
請求項３あるいは４の画像形成装置であって、前記自動用紙選択コピーにおいて、前記原稿画像を任意に転写紙の主走査方向の方側に寄せてコピーを行うことを特徴とする画像形成装置。
【請求項６】
請求項５の画像形成装置であって、前記自動用紙選択コピーにおいて、前記原稿画像の領域と転写紙の主走査方向の方側に発生する余白とを区別する境界線を付加することを特徴とする画像形成装置。
【発明の詳細な説明】
【技術分野】
【０００１】
この発明は、原稿のサイズを判別して原稿画像サイズに合わせて転写紙を自動的に選択して印刷を行う自動用紙選択機能が備わったデジタル複写機等の画像形成装置に関し、特に、原稿画像の主走査長や副走査長が不定形サイズ寸法の場合であっても画像欠けのない適切なコピーが自動用紙選択機能によって取り出せる画像形成装置に関するものである。
【背景技術】
【０００２】
近年のデジタル複写機においては、原稿のサイズを判別して原稿画像サイズに合わせて転写紙を自動的に選択して印刷を行う自動用紙選択機能が一般的に備わっている。
先行技術としては、特開２０００−１０３５３６公報には、検知される不定形原稿を変更する場合、キーを押下すると画面が切り替わり、変更したいサイズを押下することによって設定される。この画面で画像領域を設定したい場合は、「画像領域設定」キーを押下すると、数値を入力して「設定」キーを押下すると設定される画面になる。ここで「解除」キーを押下したり、設定をしない場合は、画像領域は設定された原稿サイズと同一になる。また、定形のＢ４サイズも使用したい場合は制約となるが、不定形サイズはＢ４Ｔにして、定形サイズはＢ４Ｙで使用できることが開示されている。また特開２００１−１３７４１公報には、不定形モードが選択されている場合は、自動用紙選択が選択されている場合は、アラート出力を行い、選択されていない場合は、Ａ４横以下の用紙でかつＦｌａｇ２がＳＥＴされていなければ、ＡＤＦを原稿混載モードに設定し、複写動作を行う。これによって、原稿を読みとる時点ではコンタクトガラス上に原稿が１枚しか存在しないため、前の原稿画像が複写されることが避けられる技術が開示されている。また特開平７−２８３９３２号公報には、画像読み取り部の露光走査系と構成する第１ミラーユニットと第２ミラーユニットを原稿台の原稿先端相当位置に停止して置いた状態で、不定形サイズの長尺の原稿を読み込みブロックに同期するＡＤＦの搬送作用により記録せんとする定形サイズの転写紙の大きさに対応して分割して読み取り、その複数の電気信号をメモリユニットに格納する。格納された電気信号は画像処理により画像信号として順次レーザ書き込み部に入力されて通常のコピーモードの場合と同様定形サイズの転写紙にそれぞれ個別に転写するかあるいは不定形サイズの長尺の転写紙に連続して転写し記録される技術が開示されている。
【特許文献１】特開２０００−１０３５３６公報
【特許文献２】特開２００１−１３７４１公報
【特許文献３】特開平７−２８３９３２号公報
【発明の開示】
【発明が解決しようとする課題】
【０００３】
しかしながら、本来、自動用紙選択は定形サイズの原稿画像を定形サイズの転写紙へコピーする機能であり、副走査幅が不定形サイズ寸法の原稿や、変倍によって原稿画像の副走査幅が不定形サイズ寸法の場合には、自動用紙選択機能が動作しない場合や定形サイズでカットされ画像欠けとなる場合があった。従って、そのような場合、用紙とカット方法を手動で選択していた。
また、従来の自動用紙選択では、原稿画像の主走査幅、副走査幅のどちらも不定形サイズ寸法の場合は自動用紙選択コピーが行えず、手動で用紙を選択しても原稿画像の実際の主走査幅サイズが一般的な原稿検知方法では定形サイズとして読み取ってしまうのでオペレータの意図する印刷結果が得られないものであった。
また、一般的に広く使用されている原稿検知方法としては、原稿画像の主走査幅が不定形サイズ寸法であっても原稿センサの検知により定形サイズとして検知する場合が多く、この状態でコピーを行った場合では主走査側を定形サイズとして扱うためにオペレータの意図する印刷結果が得られず、ミスコピーとなる場合があった。
本発明は、上記従来の問題点を解決するためになされたもので、その目的は、原稿画像の主走査幅や副走査幅が不定形サイズ寸法の場合であっても画像欠けのない適切なコピーが自動用紙選択機能によって取り出せる画像形成装置を提供することである。
【課題を解決するための手段】
【０００４】
上述の目的を達成するために、請求項１記載の発明は、原稿のサイズにより最適な転写紙幅のロール紙を選択してコピーを行う自動用紙選択機能を備えた画像形成装置であって、前記原稿の主走査幅と副走査幅を検知する手段と、前記原稿の主走査幅が定形サイズ寸法で副走査幅が不定形サイズ寸法の原稿画像に対して、前記原稿の主走査幅に合致するサイズのロール紙にて自動用紙選択コピーを行い、前記原稿画像の副走査幅に合わせて前記ロール紙をカットする手段と、を具備したことを特徴とする。
また、請求項２記載の発明は、原稿のサイズにより最適な転写紙幅のロール紙を選択してコピーを行う自動用紙選択機能を備えた画像形成装置であって、前記原稿の主走査幅と副走査幅を検知する手段と、前記原稿の主走査幅が不定形サイズ寸法で副走査幅が定形サイズ寸法の原稿画像に対して、前記原稿の副走査幅に合致するサイズのロール紙にて原稿画像を９０°又は２７０°回転させて自動用紙選択コピーを行い、前記回転した原稿画像の副走査幅に合わせて前記ロール紙をカットする手段と、を具備したことを特徴とする。
また、請求項３記載の発明は、原稿のサイズにより最適な転写紙幅のロール紙を選択してコピーを行う自動用紙選択機能を備えた画像形成装置であって、前記原稿の主走査幅と副走査幅を検知する手段と、前記原稿の主走査幅が不定形サイズ寸法で副走査幅が定形サイズ寸法の原稿画像に対して、前記原稿の主走査幅以上で且つ最も小さい定形サイズの主走査幅に合致するロール紙にて自動用紙選択コピーを行い、前記ロール紙を定形サイズでカットする手段と、を具備したことを特徴とする。
また、請求項４記載の発明は、原稿のサイズにより最適な転写紙幅のロール紙を選択してコピーを行う自動用紙選択機能を備えた画像形成装置であって、前記原稿の主走査幅と副走査艮を検知する手段と、前記原稿の主走査幅と副走査幅が共に不定形サイズ寸法の原稿画像に対して、前記原稿の主走査幅以上で且つ最も小さい定形サイズの主走査幅に合致するロール紙にて自動用紙選択コピーを行い、前記原稿の副走査幅に合わせて前記ロール紙をカットする手段と、を具備したことを特徴とする。
また、請求項５記載の発明は、請求項３あるいは４の画像形成装置であって、前記自動用紙選択コピーにおいて、前記原稿画像を任意に転写紙の主走査方向の方側に寄せてコピーを行うことを特徴とする。
また、請求項６記載の発明は、請求項５の画像形成装置であって、前記自動用紙選択コピーにおいて、前記原稿画像の領域と転写紙の主走査方向の方側に発生する余白とを区別する境界線を付加することを特徴とする。
【発明の効果】
【０００５】
本発明の画像形成装置においては、自動用紙選択コピーにて原稿画像の副走査幅に合わせて転写紙のカットを行うので、オペレータは主走査側が定形サイズ寸法で副走査側が不定形サイズ寸法の原稿であっても自動用紙選択機能による簡単なコピー操作だけで余白や画像欠けの無い印刷結果を得ることができる。
また、本発明の画像形成装置においては、自動用紙選択コピーにて原稿画像を回転させて原稿画像の主走査幅に合わせて転写紙のカットを行うので、オペレータは主走査側が不定形サイズ寸法で副走査側が定形サイズ寸法の原稿であっても自動用紙選択機能による簡単なコピー操作だけで余白や画像欠けの無い印刷結果を得ることができる。
また、本発明の画像形成装置においては、自動用紙選択コピーにて原稿画像の主走査幅に対する１サイズ大きい転写紙を選択して定形サイズにてカットを行うので、オペレータは主走査側と副走査側が不定形サイズの原稿であっても自動用紙選択機能による簡単なコピー操作だけで画像欠けの無い印刷結果を得ることができる。
また、本発明の画像形成装置においては、自動用紙選択コピーにて原稿画像の主走査幅に対する１サイズ大きい転写紙を選択して原稿画像の副走査幅に合わせて転写紙のカットを行うので、オペレータは主走査側と副走査側が不定形サイズの原稿であっても自動用紙選択機能による簡単なコピー操作だけで画像欠けが無く副走査側に余白の無い印刷結果を得ることができる。
また、本発明の画像形成装置においては、自動用紙選択コピーにて原稿画像をオペレータが指定した左右方向に寄せて印刷を行うので、オペレータは主走査側が不定形サイズの原稿であっても自動用紙選択機能による簡単なコピー操作だけで原稿画像を転写紙の片側に寄せて転写紙の片側のみ余白となる印刷結果を得ることができる。
また、本発明の画像形成装置においては、自動用紙選択コピーにて原稿画像をオペレータが指定した左右方向に寄せて境界線を付けて印刷を行うので、オペレータは主走査側が不定形サイズの原稿であっても自動用紙選択機能による簡単なコピー操作だけで原稿画像を転写紙の片側に寄せて転写紙の片側のみ余白とした上で、余白と原稿画像の境界を明確に区別することができる印刷結果を得ることができる。
【発明を実施するための最良の形態】
【０００６】
以下に添付の図を参照してこの発明の実施形態を詳細に説明する。
【実施例】
【０００７】
図１は、本発明によるデジタル複写機（画像形成装置）の一実施形態の概略ブロック図である。
図１に示すように、このデジタル複写機は、ＣＰＵ１、ＲＯＭ２、ＲＡＭ３、エンジンＩ／Ｆ４、画像処理Ｉ／Ｆ９、操作部Ｉ／Ｆ１１が内部バス２０に接続され、原稿搬送部５、原稿読み取り部６、印刷部７、用紙搬送部８がエンジンＩ／Ｆ４に接続され、データ蓄積部１０が画像処理Ｉ／Ｆ９に接続され、操作キー１２、操作パネル１３が操作部Ｉ／Ｆ１１に接続された構成となっている。
そして、ＣＰＵ（Central Processing Unit）１は、画像形成装置の中央処理装置で、ＲＯＭ（Read Only Memory）２に格納されている画像形成装置の制御プログラムの論理演算を行い、ＲＡＭ（Random Access Memory）３に対しプログラムの論理演算で用いる変数データのＲｅａｄ及びＷｒｉｔｅを行う。
エンジンＩ／Ｆ４では、原稿の挿入により原稿の主走査幅、及び原稿先端部を検知し原稿の読み取りタイミングを判定し、原稿の搬送終了後に原稿の後端部を検知し原稿の副走査幅を判定する原稿搬送部５のインターフェース処理と、原稿の読み取りタイミングにより原稿を変倍率に従った解像度にて主走査単位でデジタルデータとして原稿画像を読み取る原稿読み取り部６のインターフェース処理と、印刷開始指示により原稿画像データを読み込み用紙に印刷を行う印刷部７のインターフェース処理と、複数段のロール紙用トレイに用意されたロール紙を所定のタイミングと速度で搬送し、ロール紙２４（図２参照）を所定の長さでカットする用紙搬送部８のインターフェース処理を行う。
画像処理１／Ｆ９では、デジタルデータとして読み取った原稿画像データへ境界線の付加、及びハードディスク等の記録媒体装置へ書き込み読み出しを行うデータ蓄積郎１０のインターフェース処理を行う。
操作部Ｉ／Ｆ１１では、オペレータが操作するための操作キー１２と、画像形成装置の状態通知や設定状態通知をＬＣＤやＬＥＤデバイスを通じてオペレータに通知を行う操作パネル１３のインターフェース処理を行う。
【０００８】
次に、本発明の各実施形態について図２を参照して説明する。
図２は、本発明の画像形成装置の各実施形態（第１−第６実施形態）の説明図である。
まず、図２（Ａ）に示すように、本発明の画像形成装置の第１実施形態では、原稿２３のサイズにより最適な転写紙幅のロール紙２４を選択してコピーを行うにあたり、原稿２３の主走査幅と副走査幅を検知し、原稿２３の主走査幅が定形サイズ寸法で副走査幅が不定形サイズ寸法の原稿画像に対して、原稿画像の主走査幅に合致するサイズのロール紙２４にて自動用紙選択コピーを行い、原稿画像の副走査幅に合わせてロール紙２４をカットするようにしたものである。この場合、コピーされた用紙は原稿と同じサイズと方向となり余白は生じない。
次に、図２（Ｂ）に示すように、本発明の画像形成装置の第２実施形態では、原稿２３のサイズにより最適な転写紙幅のロール紙２４を選択してコピーを行うにあたり、原稿２３の主走査幅と副走査幅を検知し、主走査幅が不定形サイズ寸法で副走査幅が定形サイズ寸法の原稿２３の画像に対して、原稿画像の副走査幅に合致するサイズのロール紙２４にて原稿画像を９０°又は２７０°回転させて自動用紙選択コピーを行い、回転した原稿画像の副走査幅に合わせてロール紙２４をカットするようにしたものである。この場合、コピーされた用紙は、画像回転に伴い原稿と同じサイズとなるが、画像は回転した形となり、余白は生じない。
次に、図２（Ｃ）に示すように、本発明の画像形成装置の第３実施形態では、原稿２３のサイズにより最適な転写紙幅のロール紙２４を選択してコピーを行うにあたり、原稿２３の主走査幅と副走査幅を検知し、主走査幅が不定形サイズ寸法で副走査幅が定形サイズ寸法の原稿画像に対して、原稿画像の主走査幅以上で且つ最も小さい定形サイズの主走査幅に合致するロール紙にて自動用紙選択コピーを行い、ロール紙を定形サイズでカットするようにしたものである。この場合、コピーされた用紙は、原稿画像と同方向となるが、主走査側、及び副走査側で定形サイズとなるため主走査側と副走査側で余白が生じる。
【０００９】
次に、図２（Ｄ）に示すように、本発明の画像形成装置の第４実施形態では、原稿２３のサイズにより最適な転写紙幅のロール紙２４を選択してコピーを行うにあたり、原稿２３の主走査幅と副走査幅を検知し、主走査幅と副走査幅が共に不定形サイズ寸法の原稿画像に対して、原稿画像の主走査幅以上で且つ最も小さい定形サイズの主走査幅に合致するロール紙２４にて自動用紙選択コピーを行い、原稿画像の副走査幅に合わせてロール紙をカットするようにしたものである。この場合、コピーされた用紙は、原稿と同方向となるが、主走査側は定形サイズとなるため主走査側で画像両端に余白が生じる。
次に、図２（Ｅ）に示すように、本発明の画像形成装置の第５実施形態では、原稿２３のサイズにより最適な転写紙幅のロール紙２４を選択してコピーを行うにあたり、原稿２３の主走査幅と副走査幅を検知し、原稿２３の主走査幅と副走査幅を検知し、主走査幅と副走査幅が共に不定形サイズ寸法の原稿画像に対して、原稿画像の主走査幅以上で且つ最も小さい定形サイズの主走査幅に合致するロール紙２４にて原稿画像を任意に転写紙の主走査方向の方側に寄せて自動用紙選択コピーを行い、原稿画像の副走査幅に合わせてロール紙をカットするようにしたものである。この場合、コピーされた用紙は、原稿と同方向となるが、主走査側は定形サイズとなるため主走査側で画像の片側に余白が生じる。
次に、図２（Ｆ）に示すように、本発明の画像形成装置の第６実施形態では、原稿２３のサイズにより最適な転写紙幅のロール紙２４を選択してコピーを行うにあたり、原稿２３の主走査幅と副走査幅を検知し、主走査幅と副走査幅が共に不定形サイズ寸法の原稿画像に対して、原稿画像の主走査幅以上で且つ最も小さい定形サイズの主走査幅に合致するロール紙２４にて原稿画像を任意に転写紙の主走査方向の方側に寄せると共に、原稿画像の領域と転写紙の主走査方向の方側に発生する余白を区別する境界線を付加して自動用紙選択コピーを行い、原稿画像の副走査幅に合わせてロール紙をカットするようにしたものである。この場合、コピーされた用紙は、原稿と同方向となり、主走査側は定形サイズとなるため主走査側で画像の片側に余白が生じるが、このとき画像と余白の境界線が印刷される。
【００１０】
次に、図３−図５を参照して、上記第１−第６実施形態における原稿セットから印刷終了までの具体的な全体処理動作について説明する。
図３は、本発明の画像形成装置の実施形態における原稿セットから印刷終了までの初段階処理（フローＡ）を示すフローチャートである。
このフローＡの処理においては、まず、原稿読み取り部６に備えた原稿セットセンサによりオペレータの原稿挿入を判断し（ステップＡ−１）、原稿挿入が発生した場合は原稿読み取り部６に備えた原稿幅センサにより原稿の主走査幅を読み取り、検知した原稿の主走査幅を変数ｄｏｃ＿Ｗｉｄｅに格納する（ステップＡ−２）。ここで、原稿搬送部５の原稿幅センサは、図６に示すように、定形サイズ寸法を判別可能な複数のセンサ２２から構成され、センサ２２から入力される原稿２３の有無情報を基に該当する定形サイズ寸法を求める。センサ２２の個数を増やすことでより正確な原稿主走査幅を検出することは可能となるが、定形サイズを判定する必要最小限の個数で構成されているのが一般的である。
【００１１】
次に、オペレータによる主走査幅の入力の有無を判定し（ステップＡ−３）、入力のある場合、すなわち原稿の主走査幅が不定形サイズの場合はオペレータが入力した原稿主走査幅の実寸法を変数ｄｏｃ＿Ｓｅｔに格納する（ステップＡ−４）。
この変数ｄｏｃ＿Ｓｅｔは読み取り幅のパラメータとして原稿読み取り部６からエンジンＩ／Ｆ４に渡す（ステップＡ−５）。その後、読み取り開始位置を補正する（ステップＡ−６）。これは、検知した原稿主走査幅に対して実原稿の主走査幅の寸法の差分の景だけ読み取り位置を補正することで実原稿の端面から余白や画像切れ無く原稿画像を読み取る為である。
一方で、オペレータによる主走査幅の入力の無い場合、すなわち原稿の主走査幅が定形サイズの場合は、変数ｄｏｃ＿Ｓｅｔをクリアし（ステップＡ−７）、変数ｄｏｃ＿Ｗｉｄｅを読み取り幅のパラメータとして原稿読み取り部６からエンジンＩ／Ｆ４に渡す（ステップＡ−８）。
次に、用紙の副走査幅を定形サイズ寸法で印刷して出力するか、不定形サイズ寸法で印刷して出力するかオペレータの設定有無を判定し（ステップＡ−９）、定形サイズ寸法で印刷する場合に原稿読み取り部６で検知した原稿主走査幅とオペレータにより入力された実原稿主走査幅を比較して（ステップＡ−１０）、実原稿主走査幅が大きい場合は、１ランク大きいサイズを変数ｄｏｃ＿Ｗｉｄｅに格納する（ステップＡ−１１）。例えば、検知した原稿主走査幅が２９７ｍｍ（Ａ３タテの主走査幅）で、実原稿サイズが３５０ｍｍ（不定形サイズ）であった場合は原稿主走査幅を４２０ｍｍ（Ａ２タテの主走査幅）として扱う。
一方で、用紙の副走査幅を不定形サイズ寸法で印刷して出力する場合は、実原稿サイズである変数ｄｏｃ＿Ｓｅｔの値を変数ｄｏｃ＿Ｗｉｄｅに格納する（ステップＡ−１２）。
次に、原稿主走査幅と用紙搬送郎の給紙トレイに格納している転写紙サイズが一致するか、すなわち原稿画像を回転せずにサイズの合致する用紙にて印刷が行えるか判定を行い（ステップＡ−１３）、合致する用紙がＮ段目の給紙トレイにある場合は段数Ｎを給紙トレイとして変数ｔｒａｙに格納する（ステップＡ−１４）。一方で、画像回転せずに合致する転写紙が無い場合は、変数ｔｒａｙに該当トレイ無しを定義した定数を格納する（ステップＡ−１５）。そして、続いてフローＢの処理に移る。
【００１２】
図４は、本発明の画像形成装置の実施形態における原稿セットから印刷終了までの中間段階処理（フローＢ）を示すフローチャートである。
このフローＢにおいては、まず、原稿搬送部５で原稿の搬送を行いながら原稿読み取り部６によって解像度に従った原稿送り量毎のライン数単位にて画像を読み取り（ステップＢ−１）、読み取った画像をデジタルデータとしてエンジンＩ／Ｆ４と画像処理Ｉ／Ｆ９を介してデータ蓄積部１０に転送する処理を行う（ステップＢ−２）。また、原稿送り量を計測し、ライン単位で原稿の副走査幅をカウントして累積する（ステップＢ−３）。
ここで、原稿の後端部の検知、すなわち原稿を読み終えたか判定を行い（ステップＢ−４）、読み取り終了した時点で累積した原稿副走査幅のデータを変数ｄｏｃ＿１ｅｎに格納する（ステップＢ−５）。
その後、読み取った原稿の副走査幅が定形サイズの寸法の誤差範囲内であるか判定を行う（ステップＢ−６）。これは、原稿の読み取り時における物理的なスリップ量や原稿の長さ誤差を考慮する為で、例えば、Ａ２タテ原稿であれば５９４ｍｍ±１０ｍｍ以内であれば定形サイズとして扱う。読み取った原稿の副走査幅が定形サイズ寸法の誤差範囲内であった場合は変数ｄｏｃ＿ｌｅｎを定形サイズ寸法に補正する（ステップＢ−７）。
【００１３】
次に、原稿挿入時の判定で給紙トレイの有無を変数ｔｒａｙの値によって判定する（ステップＢ−８）。ここで、給紙トレイが無い場合、原稿の副走査幅と一致する転写紙があるか判定を行い（ステップＢ−９）、一致する転写紙が無い場合、すなわち画像回転しても合致する用紙が見つからない場合はＡＰＳ（自動用紙選択）処理を中断して印刷処理を行わない（ステップＢ−１０）。ＡＰＳ中断処理では、読み取りジョブデータの削除、及び蓄積した原稿画像データの消去を行い、原稿読み取り前の状態に戻す。
ステップＢ−９で、原稿の副走査幅で一致する転写紙がある場合、すなわち画像を９０°あるいは２７０°回転すれば合致する用紙がＮ段目の給紙トレイにある場合は、段数Ｎを給紙トレイとして変数ｔｒａｙに格納する（ステップＢ−１１）。また回転有無を示す変数ｒｏｔにＯＮを定義した定数を格納する（ステップＢ−１２）。
一方、ステップＢ−９で、給紙トレイが既に決まっている場合は、回転有無を示す変数ｒｏｔにＯＦＦを定義した定数を格納する（ステップＢ−１３）。そして、回転有無を示す変数ｒｏｔの判定を行い（ステップＢ−１４）、変数ｒｏｔがＯＦＦの場合、すなわち画像回転しない場合は原稿画像の副走査幅ｄｏｃ＿ｌｅｎをカット長を示す変数ｃｕｔに格納し（ステップＢ−１５）、変数ｒｏｔがＯＮの場合、すなわち画像回転する場合は原稿画像の主走査幅ｄｏｃ＿Ｗｉｄｅをカット長を示す変数ｃｕｔに格納する（ステップＢ−１６）。そして、続いてフローＣの処理に移る。
【００１４】
図５は、本発明の画像形成装置の実施形態における原稿セットから印刷終了までの終段階処理（フローＣ）を示すフローチャートである。
このフローＣにおいては、まず、変数ｒｏｔがＯＦＦの場合、すなわち画像回転を行わない場合（ステップＣ−１）、オペレータによる原稿画像の右寄せ、あるいは左寄せが設定されているか判定を行い（ステップＣ−２）、画像シフトが設定されている場合は、原稿読み取り幅ｄｏｃ＿Ｗｉｄｅから実原稿主走査幅ｄｏｃ＿Ｓｅｔの差分からシフト量を算出し、その結果をシフト量を示す変数ｓｈｉｆｔに格納する（ステップＣ−３）。また、画像シフトが設定されていない場合はシフト量を示す変数ｓｈｉｆｔに０を格納する（ステップＣ−４）。
続いてオペレータによる境界線印刷の有無の判定を行い（ステップＣ−５）、境界線印刷設定がある場合は、境界線印刷を示す変数ｌｉｎｅにＯＮを定義した定数を格納し（ステップＣ−６）、境界線印刷設定が無い場合は境界線印刷を示す変数ｌｉｎｅにＯＦＦを定義した定数を格納する（ステップＣ−７）。
次に、給紙トレイの変数ｔｒａｙ、画像回転有無の変数ｒｏｔ、カット長の変数ｃｕｔ、シフト量の変数ｓｈｉｆｔ、境界線印刷の変数ｌｉｎｅをパラメータとした印刷情報を作成する（ステップＣ−８）。印刷情報は、エンジンＩ／Ｆ４を介して印刷部７、用紙搬送部８への動作指示を行うとともに、画像処理Ｉ／Ｆ９を介してデータ蓄積部１０に蓄えられた原稿画像データの回転、及び境界線印刷の指示を行うための印刷１ページ単位のプロセスデータである。
印刷情報の作成の後、印刷開始指示を行い読み取った原稿画像の印刷を開始し（ステップＣ−９）、印刷処理を行いながら（ステップＣ−１０）印刷の終了を監視する（ステップＣ−１１）。印刷終了後、転写紙をカットし（ステップＣ−１２）、転写紙の排出を行う（ステップＣ−１３）。
なお、本実施形態では、ロール紙を複数段のロール紙用トレイに用意するようにしたが、トレイではなく他の形態で複数段のロール紙を配置するようにしても良い。
【図面の簡単な説明】
【００１５】
【図１】本発明によるデジタル複写機（画像形成装置）の一実施形態の概略ブロック図である。
【図２】本発明の画像形成装置の各実施形態（第１−第６実施形態）の説明図である。
【図３】本発明の画像形成装置の実施形態における原稿セットから印刷終了までの初段階処理（フローＡ）を示すフローチャートである。
【図４】本発明の画像形成装置の実施形態における原稿セットから印刷終了までの中間段階処理（フローＢ）を示すフローチャートである。
【図５】本発明の画像形成装置の実施形態における原稿セットから印刷終了までの終段階処理（フローＣ）を示すフローチャートである。
【図６】図１に示した原稿搬送部の原稿幅センサの説明図である。
【符号の説明】
【００１６】
１…ＣＰＵ、２…ＲＯＭ、３…ＲＡＭ、５…原稿搬送部、６…原稿読取り部、７…印刷部、８…用紙搬送部、１０…データ蓄積部、１２…操作キー、１３…操作パネル、２０…内部バス、２２…センサ、２３…原稿
【図１】
2006064789.tif 000003
【図２】
2006064789.tif 000004
【図３】
2006064789.tif 000005
【図４】
2006064789.tif 000006
【図５】
2006064789.tif 000007
【図６】
2006064789.tif 000008